(57)【要約】      （修正有）【課題】ＵＨＦ帯のワンセグ放送受信用に携帯電話使用等で使われていたサイズで、ＶＨＦ帯の放送波を受信できる、携帯端末用のホイップアンテナを提供する。【解決手段】上端部にアンテナトップ２を固着し下端部に摺動ばね３が固着されている可燒性を有する線状の第１エレメント４と、摺動ばね３が自在に内部を摺動するように収納される可燒性を有する第２エレメント１０を有する。第２エレメント１０の下端部に固定された下円筒保持部１１の下部には支軸を挿入するための孔を設けた板状部１３があり、板状部を収容できる凹部と支軸１２を挿入することのできる一対の孔を設けてなるベース部１４がある。ベース部１４と板状部１３を支軸１２で連結することによってヒンジ部１５を構成する。第２エレメント１０を構成する平板コイルばねを粗巻きにする。【選択図】図１
0003152352.tif 000002
【実用新案登録請求の範囲】
【請求項１】
上端部にアンテナトップを固着し下端部に摺動ばねが固着されている可撓性を有する線状の第１エレメントと、該第１エレメントの摺動ばね部が自在に内部を摺動するように収納される可撓性を有する第２エレメントであって、前記第２エレメントの上端部は小口部を有する上円筒保持部が固定されていて前記第１エレメントが抜け止めされており、前記第２エレメントの下端部には下円筒保持部が固定されており、該下円筒保持部の下部には支軸を挿入するための孔を設けた板状部があり、一方、前記板状部を収容できる凹部と前記支軸を挿入することのできる一対の孔を設けてなるベース部と、該ベース部と前記板状部を支軸で連結することによってヒンジ部を構成するホイップアンテナであって、前記第２エレメントを構成する平板コイルばねを粗巻きにより構成したことを特徴とするホイップアンテナ装置
【請求項２】
前記平板コイルばねの上端の内部に円筒状のスペーサーを装着し、第１エレメントを引き伸ばした時に、前記スペーサーの内周面に第１エレメントの摺動ばねが位置して第１エレメントの伸張が保持さることを特徴とする請求項１記載のホイップアンテナ装置。
【請求項３】
上端部にアンテナトップを固着し下端部に摺動ばねが固着されている可撓性を有する線状の第１エレメントと、該第１エレメントの摺動ばね部が自在に内部を摺動するように収納される可撓性を有する第２エレメントであって、前記第２エレメントの上端部は小口部を有する上円筒保持部が固定されていて前記第１エレメントが抜け止めされており、前記第２エレメントの下端部には下円筒保持部が固定されており、該下円筒保持部の下部には支軸を挿入するための孔を設けた板状部があり、一方、前記板状部を収容できる凹部と前記支軸を挿入することのできる一対の孔を設けてなるベース部と、該ベース部と前記板状部を支軸で連結することによってヒンジ部を構成するホイップアンテナであって、前記第２エレメントは中心部の長さ方向に樹脂製のパイプを装着し、該樹脂製パイプの外周にヘリカルコイルを形成し、更にその外周に樹脂製チューブを装着したことを特徴とするホイップアンテナ装置。
【請求項４】
前記樹脂パイプの内径は、前記上円筒保持部の前記摺動ばねが保持されるばね収納孔の径より大きいことを特徴とする、請求項３記載のホイップアンテナ装置。
【考案の詳細な説明】
【技術分野】
【０００１】  本考案は、ＶＨＦ帯放送波受信用携帯端末用のホイップアンテナ装置に関する。
【背景技術】
【０００２】  図５に示す従来の一般的なホイップアンテナは、平板を密に巻いた第２エレメント３１の内部に、可撓性を有し先端にアンテナトップを固着し、下端部に摺動ばね（図示せず）を固着した第１エレメント３３が伸縮自在に組み込まれてホイップアンテナを形成している。【０００３】  また、このホイップアンテナは、下端部にヒンジ部３９を設けてアンテナの角度が調整できるようになっており、更に携帯端末の筐体に取り付けたホルダー部４０に収納伸張自在に取り付けられていることから、近年普及されているＵＨＦ帯周波数によるワンセグ放送の受信用として携帯電話等に使用されているものである。【０００４】  特に第５図の第２エレメント３１は、ＵＨＦ帯放送のワンセグ放送受信用携帯端末のアンテナとして広く用いられていることが知られている。金属の平板を密まきにしてパイプ状に形成したものであるので、ローディングの効果はないが、横荷重等に強い構造となっている。
然しながら、地上アナログＴＶ放送が２０１１年７月をもって停波し完全なるデジタル放送時代に入っていくわけであるが、デジタル化によって空いたＶＨＦ周波数帯域を他の携帯端末向けマルチメディア放送等に使用する計画がある。【０００５】  そこで、これまでのＵＨＦ帯ワンセグ放送受信端末用アンテナのサイズに近いもので、しかしそれより周波数の低いＶＨＦ帯用アンテナの製品化が求められている。
なお、本発明に最も近い技術としては、特許文献１の欄に記載した特開２００７−２１４６７３号「携帯電子機器用アンテナ」が公知である。
図２６には、板状コイルバネの密巻きによるパイプ状アンテナが形成されていることが知られている。
【先行技術文献】
【特許文献】
【０００６】
【特許文献１】特開２００７−２１４６７３号公報
【考案の概要】
【考案が解決しようとする課題】
【０００７】  ところで、近年の携帯電話機の薄型、小型、軽量化の進歩は目を見張るものがある。２０１１年に新たにサービスが開始されるＶＨＦ帯使用の放送波受信端末にも、小型の端末が市場投入されると予想される。【０００８】  然しながら、ＶＨＦ帯の放送波の受信であればＵＨＦ帯のワンセグ放送受信用アンテナと比べて当然アンテナサイズは大きなものになってしまう。
しかし、持ち運び、操作、小型軽量化傾向等において、ほぼ現行のワンセグ受信用ホイップアンテナと同等のサイズのアンテナが求められること必至である。【０００９】  ところで、現在のＵＨＦ帯使用によるワンセグ放送受信アンテナはＵＨＦ帯受信ということから、前記したようなアンテナでその全長がほぼ１５０ｍｍ程度のホイップアンテナが使われている。
この１５０ｍｍ程度のアンテナをＶＨＦ帯域で使うとすれば、当然にＶＨＦ帯の周波数に共振するアンテナと比較した時に、そのアンテナ長は極端に短く、ＶＨＦに共振する電気長には至らず、そのためにアンテナ性能における帯域幅が小さくなり、利得も期待値を確保することが困難である等の課題が生ずる。
【課題を解決するための手段】
【００１０】  上記課題を解決すべく請求項１に係るホイップアンテナ装置は、可撓性のある線状の第１エレメントと、金属の平板を密まきではなく、粗巻きをもってコイル状エレメントに巻いたので、電気長を稼ぐことが出来、周波数の低いＶＨＦ帯用アンテナに好適である。【００１１】  請求項２に係るホイップアンテナ装置は、第１エレメントの内径を摺動ばねの径より大きくしてあり、且つ、前記第１エレメントを最上端まで引き伸ばした時にスペーサーの内周面で摺動ばねが保持されるようにしたので、前記第１エレメントを押し下げた時に、摺動ばね部が平板コイルばねの第２エレメントの中央部付近に止どまらないことから、第２エレメントが大きく湾曲しても、摺動ばねの変形を来たすなどの恐れがない。【００１２】  請求項３に係るホイップアンテナ装置は、可撓性のある線状の第１エレメントと、ヘリカルアンテナを樹脂製のパイプの外周部に巻回しその周囲に絶縁チューブを装着して第２エレメントとしたので、前記樹脂製パイプが第２アンテナの補強の役目を成すことから、横の力が加わっても十分に曲げ力を有する。【００１３】  請求項４に係るホイップアンテナ装置は、第２エレメントを構成する線状ヘリカルコイルの内周面に配置した樹脂製のパイプの内径を、前記第１エレメントに設けた摺動ばねの径より大きくしたので、前記第１エレメントを押し下げた時に、該第１エレメントの摺動ばねが樹脂パイプの中央部付近で保持されることがないから、第１アンテナが完全に伸びきらない状態で使われる恐れがない。したがって、第２エレメントに横の荷重が加わって湾曲しても、前記第一エレメントの摺動ばねの変形を来たす恐れがない。
【考案の効果】
【００１４】  以上説明したように本考案によれば、これまでＵＨＦ帯放送波のワンセグ放送を受信するために多く使われていた２段伸縮式のホイップアンテナであるが、第２エレメントを金属の平板を粗巻きとして形成したので、ほぼ機構寸法上同じ長さでありながら電気長を稼ぐことが出来るばかりか、平板状金属板をコイル状に粗巻きでヘリカル状としたので、横からの力や振れに対しても一般的な線状コイルと異なり応力が大きい。【００１５】  また、平板コイルばねの断面から見て４隅を大きく面取りして小判型に形成したので、粗巻きとしも、平板コイルばねの中を摺動する摺動ばねの損傷が少ない。【００１６】  更に、平板コイルばねの上端部にスペーサーを装着し、この内周面に摺動ばねが引き伸ばされて保持させるので、電気導通が確かであるし、摺動ばねの直径が平板コイルばねの内径より小さいので、中間部付近で止どまるようなことがない。そのため平板コイルばねが大きく湾曲した場合であっても、摺動ばねの形状変形を来たすなどの恐れがない。【００１７】  更に、第２エレメントを線状のヘリカルアンテナとしてピッチを設けた粗巻きで形成したので、電気長をより多く稼ぐことが出来るほか、ヘリカルアンテナの内部に樹脂製の補強パイプを挿入したので、横からの荷重に対しても耐えられる強さをもつ。【００１８】  また、アンテナ伸張時に上円筒保持部のばね収納孔に摺動ばねが挿入されて第１エレメントを保持するので、電気導通が確実である。
更に樹脂の補強パイプの内径を、ばね収納孔の径より大きくしたので摺動ばねが補強パイプの中に止まることが無く、第１アンテナを最上部まで引き伸ばすことで、第２のエレメントと導通しない状況が無く、ユーザーのアンテナ操作がやりやすいなど、多くの効果が期待できる。
【図面の簡単な説明】
【００１９】
【図１】「本考案に係るホイップアンテナ装置の１実施形態を示した断面図である。」
【図２】「図１に示した平板コイルばねの断面図である。」
【図３】「図１に示した平板ばねの上端部の内部にスペーサーを装着した図である。」
【図４】「本考案に係るホイップアンテナ装置の他の実施形態を示した断面図である。」
【図５】「従来例を示すホイップアンテナ装置の正面図である。」
【考案を実施するための形態】
【００２０】  図１は本考案に係るホイップアンテナ装置の１実施形態を示し、請求項１に対応している。
携帯電話機等の無線機筐体１５に設置されているアンテナ１は、アンテナトップ２を一端に固着し、他端に提灯状の摺動ばね３を抜け止め固定したＮｉＴｉ（ニッケルチタン）等による外形寸法０．７ｍｍ〜１．０ｍｍの可撓性を有する第１エレメント４と、金属製で断面が略小判型の平板コイルばね５が上端部に小口部６を有する上円筒保持部７が固定され、前記第１エレメント４の摺動ばね３が前記平板コイルばね５の内周面を摺動するように組み込まれており、前記摺動ばね３のアンテナトップ２側に隣接して設けられているフランジ部８が、前記上円筒保持部７の小口部６で抜止めされて組み込まれている。
【００２１】  前記平板コイルばね５の周囲には絶縁チューブ９が被せてあり雨水やゴミなどの浸入を防いでおり、外形寸法は約２．０〜３．５ｍｍ程度とし、これを第２エレメント１０という。
この第２エレメント１０の下端部には下円筒保持部１１の円筒部が前記第２エレメント１０の下部を収容して固定しており、その反対側には支軸１２が挿入される孔を持った板状部１３が形成されている。
【００２２】  この板状部１３の孔と、この板状部１３を挟んで支軸１２を装着することのできるベース部１４が構成されており、これによってアンテナ１が起立・転倒自在に角度を傾斜して位置することの出来るヒンジ部１５が構成されている。
【００２３】  前記ベース部１４は、前記板状部１３を挟む凹溝を有し、支軸の両端を止める孔を有しており、支軸１２を挿入することでこれらは抜け止めされている。
【００２４】  このベース部１４は内部にコイルばね１６を有し、これによってその上の押圧子１８を前記板状部１３の端部に押し付けており、この押圧力でアンテナ１の角度が自由な位置で保持される。
【００２５】  コイルばねの下端にはアンテナ１を引き出した時に、無線機筐体１７から抜け落ちることを規制するためのストッパ−１９が固着されており、このストッパー１９は内部には鼓状ばね２０を内在したホルダー部２１によって抜け止め保持されていると共に、アンテナ１が傾斜角を持ちながら回転させることが出来る。
【００２６】  このような伸縮自在、回転自在のアンテナ１であるが、本考案では第２エレメント１０の平板コイルばね５を粗巻きとした。
また、この平板コイルばね５の断面は図２のとおり４隅を面取りしてあり、ほぼ小判型となっている。
また、粗巻きとしているので隣同士の断面は接触していない。
このような内面を第１エレメント４の摺動ばね３が摺動しても小判型の断面により傷つくことも無く、長期の使用においてもスムースな摺動力を保持できる。
【００２７】  また、図３によれば平板コイルばね５の上端内部に開口部をもったスペーサー２２を圧入したので、第１エレメントを引き出したときに、摺動ばね３は前記スペーサー２２の内面で保持される。
【００２８】  このことは、第１エレメント４を引き伸ばした時に、第２エレメントとの導通性がしっかり取れ、且つ第１エレメントを下に押し下げた時に、前記摺動ばね３の外形寸法は板状コイルばね５の内径より小さく出来ているため、第１エレメント４は第２エレメントの下部まで一気に落ちて、途中に止まることは無い。
【００２９】  このことは、従来第２エレメント１０を湾曲させた時に、その中間部付近に摺動ばねが位置していた場合、ばね形状に変形した塑性が生じてばね力が変ってしまうといった不具合が生じやすかったが、この点を解消することが出来る。
【００３０】  図４は他の実施例である。
図４において、図１と同じ名称については、同じ符号とした。
第２エレメント１０には線状のヘリカルコイル２５を設け、該線状ヘリカルコイル２５の屈曲性を補強するための樹脂パイプ２３をヘリカルコイル２５の内面に沿って挿入した。
これによって、横荷重による屈曲の弱さが解消される。
【００３１】  前記ヘリカルコイル２５はその表部に絶縁チューブ９を被覆し、その上端部には金属性の上円筒保持部７を固着してある。
この上円筒保持部７のばね収納孔２４の孔径は、樹脂パイプ２３の内径部より小さく、且つ、上円筒保持部７の小口部６の径より小さく構成されている。
【００３２】  したがって、第２エレメント１０の内部にそって第１エレメント４を引き伸ばした時に、第１エレメント４の下端部に設けた摺動ばね３は上円筒保持部７のばね収納孔２４の内部で保持される。
また、第１エレメント４を下に押し下げたとき、摺動ばね３はばね収納孔２４を脱して下に落ち、樹脂パイプ２３の途中に止まることはない。したがって、線状のヘリカルコイル２５の場合であっても、たとえ第２エレメント１０が湾曲しても摺動ばね３が塑性変形してばねの摺動力を損なうなどの恐れはない。
【実施例】
【００３３】  本実施例では、可撓性を有する第１エレメント４と円筒状の第２エレメント１０との２段伸縮式ホイップアンテナの例を示したが、必要に応じて前記第２エレメントと第１エレメントの間に金属パイプを摺動自在に装着して３段、或いは４段方式又はそれ以上の多段式のアンテナにおいても実施が可能である。【００３４】  請求項３によるヘリカルコイルは、樹脂製パイプの周囲に線状のヘリカルコイルをもって実施例としたが、樹脂パイプの周囲にヘリカルアンテナを印刷したものでも良く、またヘリカル素子を印刷したフィルム状のシートを巻いて構成するなどしても良い。
【産業上の利用可能性】
【００３５】  無線通信のデジタル化と並んで、放送波のデジタル方式への移行がＴＶ放送に続いて、音声放送においても計画されている。【００３６】  現行のＶＨＦテレビ放送が完全デジタル放送に移行した後は、携帯端末向けマルチメディア放送の開始が計画されており、その受信端末も携帯電話程度の容積の端末になった場合、ワンセグ放送受信用ホイップアンテナの１５０ｍｍ前後のアンテナ長が求められると思われる。しかしワンセグ放送はＵＨＦ帯であるため、ワンセグ放送受信アンテナの長さでＶＨＦ帯での受信が出来るようにするために本件考案は有用である。
【符号説明】
【００３７】  １・・・アンテナ
２・・・アンテナトップ
３・・・摺動ばね
４・・・第１エレメント
５・・・平板コイルばね
６・・・小口部
７・・・上円筒保持部
８・・・フランジ部
９・・・絶縁チューブ
１０・・・第２エレメント
１１・・・下円筒保持部
１２・・・支軸
１３・・・板状部
１４・・・ベース部
１５・・・ヒンジ部
１６・・・コイルばね
１７・・・無線機筐体
１８・・・押圧子
１９・・・ストッパー
２０・・・鼓状ばね
２１・・・ホルダー部
２２・・・スペーサー
２３・・・樹脂パイプ
２４・・・ばね収納孔
２５・・・ヘリカルコイル
【図１】
0003152352.tif 000003
【図２】
0003152352.tif 000004
【図３】
0003152352.tif 000005
【図４】
0003152352.tif 000006
【図５】
0003152352.tif 000007